(57)【要約】      （修正有）【課題】牛皮製財布を手作りするために、特別な道具を用いることなく手芸として製作するのに必要な一組分の材料を組み合わせた牛皮製財布の手作り用キットを提供する。【解決手段】貨幣および／または紙幣を収納する牛皮製財布の収納部の形状を呈し且つ貨幣および／または紙幣を出し入れする開口縁３を除く周縁に複数個の縫取り孔４を設け、更に片面に一対のフックボタンのうちの片方（凸ボタン５ａ）を取り付けた牛皮製の第１シート材１を１枚と、第１シート材の開口縁に覆い被さる蓋部を収納部に連結した形状を呈し且つ第１シート材の縫取り孔に対向する位置にも夫々縫取り孔を設け、更に片面にフックボタンの他方を取り付けた牛皮製の第２シート材を１枚と、縫取り孔に挿通される牛皮製の紐材を１本と、紐材の両端に夫々装着されて紐材の抜け落ちを防止する樹脂製または木製の紐端固定具を２個と、を有する。【選択図】図１
0003211691.tif 000002
【実用新案登録請求の範囲】
【請求項１】
牛皮製財布を手芸として製作するための一組分の材料を組み合わせた手作り用キットであって、貨幣および／または紙幣を収納する前記牛皮製財布の収納部の形状を呈し且つ前記貨幣および／または前記紙幣を出し入れする開口縁を除く周縁に複数個の縫取り孔を設け、更に片面に一対のフックボタンのうちの片方を取り付けた牛皮製の第１シート材を１枚と、該第１シート材の前記開口縁に覆い被さる蓋部を前記収納部に連結した形状を呈し且つ前記第１シート材の前記縫取り孔に対向する位置にも夫々縫取り孔を設け、更に片面に前記フックボタンの他方を取り付けた牛皮製の第２シート材を１枚と、前記縫取り孔に挿通される牛皮製の紐材を１本と、該紐材の両端に夫々装着されて前記紐材の抜け落ちを防止する樹脂製または木製の紐端固定具を２個と、を有することを特徴とする牛皮製財布の手作り用キット。
【考案の詳細な説明】
【技術分野】
【０００１】
本考案は、天然牛皮からなる財布を手芸として手作りするために必要な、一組分の材料の組み合わせ（以下、キットという）に関するものである。
【背景技術】
【０００２】
従来から、余暇あるいは休日を過ごすための趣味や娯楽として様々な物品を手作りするのに必要な素材（たとえば木材、樹脂板等）、工具（たとえば鋸、鋏等）、金具（たとえば釘、釦等）が種々市販されている。そして、特定の品（たとえば家財道具、模型等）を製作するのに必要な一組分の素材や金具を組み合わせたキットも販売されている。
【０００３】
手芸の分野では、日用雑貨（たとえば財布、名刺入れ等）を手作りするためのキットが種々実用化されている。
【０００４】
たとえば特許文献１には、素材を所定の形状に加工したシート状の材料が開示されており、その材料を折りたたんで組み立てることによって財布が得られるとしている。
【０００５】
ところが特許文献１に開示された技術で牛皮製財布を手作りする場合は、牛皮全体（いわゆる丸皮）から手作業で鋏を用いて、所定の形状を有する材料を切り出すのは困難である。更に、所定の形状の材料を得た後、その材料を手作業で折りたたむ際に、鮮明な折り目を形成することも困難であるから、完成品の形状が安定しないという問題がある。
【０００６】
このような問題を解決するためには、牛皮の材料を切り出して更に折りたたむための専用の機器が必要となり、手芸として手作りする財布が極めて高価なものになる。
【先行技術文献】
【特許文献】
【０００７】
【特許文献１】特開2013-99495号公報
【考案の概要】
【考案が解決しようとする課題】
【０００８】
本考案は、従来の技術の問題点を解消し、牛皮製財布を手作りするために、特別な道具を用いることなく手芸として製作するのに必要な一組分の材料を組み合わせたキットを提供することを目的とする。
【課題を解決するための手段】
【０００９】
本考案者は、牛皮を折りたたんで成形することが困難であることから、所定の形状を有する材料を縫い合わせて牛皮製財布を得るためのキットについて検討した。そして、牛皮を加工する機器を備えた工場にて、
(a)所定の形状を有する材料を丸皮から切り出す、
(b)縫い合わせるための孔（以下、縫取り孔という）をその材料に設ける、
(c)縫取り孔に挿通する紐材を丸皮から切り出す
という加工を施して、得られた材料や紐材を組み合わせて手作り用キットとすれば、その手作り用キットの使用者は、特別な道具を用いることなく、牛皮製財布を手作りできることが判明した。
【００１０】
更に、上記(a)の材料ならびに上記(c)の紐材を様々に染色すれば、多様な色彩を組み合わせた牛皮製財布が得られるという利点がある。
【００１１】
本考案は、これらの知見に基づいてなされたものである。
すなわち本考案は、牛皮製財布を手芸として製作するための一組分の材料を組み合わせた手作り用キットであって、貨幣および／または紙幣を収納する牛皮製財布の収納部の形状を呈し且つ貨幣および／または紙幣を出し入れする開口縁を除く周縁に複数個の縫取り孔を設け、更に片面に一対のフックボタンのうちの片方を取り付けた牛皮製の第１シート材を１枚と、第１シート材の開口縁に覆い被さる蓋部を収納部に連結した形状を呈し且つ第１シート材の縫取り孔に対向する位置にも夫々縫取り孔を設け、更に片面にフックボタンの他方を取り付けた牛皮製の第２シート材を１枚と、縫取り孔に挿通される牛皮製の紐材を１本と、紐材の両端に夫々装着されて紐材の抜け落ちを防止する樹脂製または木製の紐端固定具を２個と、を有する牛皮製財布の手作り用キットである。
【考案の効果】
【００１２】
本考案によれば、特別な道具を用いることなく手芸として牛皮製財布を製作できる手作り用キットを得ることができ、産業上格段の効果を奏する。
【図面の簡単な説明】
【００１３】
【図１】本考案の手作り用キットを構成する第１シート材の例を模式的に示す斜視図である。
【図２】本考案の手作り用キットを構成する第２シート材の例を模式的に示す斜視図である。
【図３】本考案の手作り用キットを構成する紐材の例を模式的に示す斜視図である。
【図４】本考案の手作り用キットを構成する紐端固定具の例を模式的に示す斜視図である。
【図５】(a)は本考案の手作り用キットから得られる牛皮製財布の例を模式的に示す斜視図、(b)は紐材の端部を固定する例を模式的に示す斜視図である。
【考案を実施するための形態】
【００１４】
本考案の手作り用キットは、第１シート材を１枚、第２シート材を１枚、紐材を１本、紐端固定具を２個が一組分として構成される。以下に夫々の材料について説明する。
【００１５】
図１は、本考案の手作り用キットを構成する牛皮製の第１シート材１の例を模式的に示す斜視図である。本考案の手作り用キットから得られる牛皮製財布は貨幣や紙幣を出し入れするための開口部が必要であるから、その開口部を形成するための開口縁３が設けられる。そして、開口縁３を除く周縁に複数個の縫取り孔４が第１シート材１を貫通して設けられる。
【００１６】
更に、第１シート材１の片面に凸ボタン5aが取り付けられる。凸ボタン5aは、一対のフックボタンのうちの片方のボタンであり、後述する第２シート材２に取り付けられる凹ボタン5bと嵌め合わせることによって、牛皮製財布から貨幣や紙幣がこぼれないように開口部を閉塞するものである。
【００１７】
その第２シート材２について図２を参照して説明する。牛皮製の第２シート材２は、貨幣や紙幣を収納するために第１シート材１に重ね合わされる部位2a（以下、収納部という）と第１シート材１の開口縁３に覆い被さる部位2b（以下、蓋部という）が連結された形状を呈する。収納部2aの周縁には複数個の縫取り孔４が第２シート材２を貫通して設けられる。
【００１８】
第１シート材１の周縁に設けられる縫取り孔４と第２シート材２の収納部2a周縁に設けられる縫取り孔４は同数とする。更に、第１シート材１と第２シート材２を重ね合わせた状態で、縫取り孔４が第１シート材１と第２シート材２を貫通するように配置する。
【００１９】
更に、第２シート材２の蓋部2bの片面に凹ボタン5bが取り付けられる。ここでは第１シート材１に凸ボタン5a、第２シート材２に凹ボタン5bを取り付ける例を示したが、第１シート材１に凹ボタン、第２シート材２に凸ボタンを取り付けても良い。
【００２０】
図３は、縫取り孔４に挿通される牛皮製の紐材６の例を模式的に示す斜視図である。紐材６は第１シート材１と第２シート材２を縫い合わせるために使用するものである。
【００２１】
本考案の手作り用キットの使用者が牛皮製財布を製作するにあたって、まず、第１シート材１と第２シート材２を重ね合わせて、次いで、紐材６を縫取り孔４に挿通して縫い合わせる。その例を図５(a)に斜視図として示す。縫い合わせる際の紐材６の使用方法は、特に限定しない。図５(a)の他にも紐材６の様々な使用方法で縫い合わせることが可能である。
【００２２】
第１シート材１と第２シート材２を縫い合わせた後、図５(b)に示すように、紐端固定具７を用いて紐材６の端部を固定する。紐材６を強固に固定するために、紐端固定具７は樹脂製または木製のものを使用する。図５(b)には紐材６の端部に結び目を形成して紐端固定具７に固定する例を示したが、接着剤を用いて紐材６の端部を紐端固定具７に固定しても良い。このようにして紐材６が解けるのを防止する。
【００２３】
以上に説明した通り、本考案の手作り用キットの使用者が行なう作業は、
(A)第１シート材１と第２シート材２を重ね合わせる、
(B)紐材６を縫取り孔４に挿通する、
(C)紐材６の端部を紐端固定具７に固定する
という簡便な作業であるから、特別な道具を使用する必要はなく、手作りで牛皮製財布を製作できる。
【００２４】
また、第１シート材、第２シート材、紐材、紐端固定具を種々染色することによって、様々な色彩を組み合わせて一組分の手作り用キットを構成することが可能となり、使用者の嗜好に合致した色調の牛皮製財布を手作りすることができる。
【実施例】
【００２５】
図１〜４に示す第１シート材、第２シート材、紐材、紐端固定具を用いて、図５に示す牛皮製財布を手作りした。第１シート材と第２シート材を重ね合わせて、次いで、紐材を縫取り孔に挿通して縫い合わせ、更に、紐材の端部に結び目を作って紐端固定具で固定する作業は、特別な道具を使用せず、手作業で行なった。所要時間は40分であった。
【符号の説明】
【００２６】
１  第１シート材
２  第２シート材
2a  収納部
2b  蓋部
３  開口縁
４  縫取り孔
5a  凸ボタン
5b  凹ボタン
６  紐材
７  紐端固定具
【図１】
0003211691.tif 000003
【図２】
0003211691.tif 000004
【図３】
0003211691.tif 000005
【図４】
0003211691.tif 000006
【図５】
0003211691.tif 000007